(57)【要約】【課題】マヨネーズ等の容器を倒立状態で安定支持し、かつ水平方向への容器の出し入れにより狭い空間で使用できる容器倒立支持具を提供する。【解決手段】マヨネーズ等容器の容器胴部を二つの支持体で支持し、容器支持時は支持体間の最小幅が容器底部の最小幅より小さいことを特徴するプラスチック製マヨネーズ等容器の倒立式支持具である。これにより容器を安定して支持し、かつ水平方向への容器の出し入れにより狭い空間で使用できる。【選択図】図１
2011105358.tif 000002
【特許請求の範囲】
【請求項１】
マヨネーズ等容器の容器胴部を二つの支持体で支持し、容器支持時は支持体間の最小幅が容器底部の最小幅より小さいことを特徴とするプラスチック製マヨネーズ等容器の倒立式支持具。
【請求項２】
請求項１の支持具であり、二つの支持体が容器支持時の水平方向を最下点とし、支持体の容器出し入れ側がその反対側より上方へ可動することができる支持具。
【請求項３】
請求項１の支持具であり、二つの支持体の容器出し入れ側がその反対側に対し水平方向に可動できるもの。かつ支持体間の幅は容器支持後に対し支持前のほうが小さい支持具。
【発明の詳細な説明】
【技術分野】
【０００１】
本発明は、プラスチック製マヨネーズ等容器の倒立式支持具に関するものである。
【背景技術】
【０００２】
マヨネーズ容器は先端の内容物取り出し口が細く、中間からやや下側の腹部が大きく膨らみ、底部が腹部に対しやや小さい形状が一般である。また、使用方法は、容器を手で必要分押し潰すことにより内容物を取り出している。容器内容物が多いうちは、食卓上にマヨネーズ容器を正立（取り出し口が上、底部が下）にて置くのが一般的である。しかし、容器内容物が少なくなると容器の形状（腹部の潰れ等）が変化し、容器を正立させることができない。また容器内容物が少ない状態で容器内へ空気の浸入があると容器を正立させた時に内容物が容器底部へ移動する。その後、内容物取り出しの際は内容物の粘性により、なかなか容器の先端取り出し口に到達しないため使い勝手が悪いという問題があった。
【０００３】
そこで、容器内容物が少ない時に容器を倒立させて、常に容器先端取り出し口に容器内容物を待機させ使い勝手がよくするマヨネーズ立てや倒立式支持台等がある。
【０００４】
公報に開示されているものとして、冷蔵庫内使用目的の特開平９−６１０５１号公報、特開平７−２０８８５５号公報、特開平９−１９６５５０号公報、特開平１０−６６６４１号公報があり、食卓上使用目的では実用新案登録第３１５０８３１号公報がある。
【０００５】
しかし、上記の冷蔵庫内使用のものは、すべて容器支持部が円錐状で容器の胴部の先端取り出し口側となっている。これは支持具に対し容器を収納する際は容器長さに支持具長さ相当分上部の空間が必要になる欠点がある。また、容器胴部の先端取り出し口側を支持するため容器重心が支持具より上側となる場合があり不安定な状態があった。
【０００６】
また、容器重心が支持具より上側とならないように改善し食卓上の容器支持具として実用新案登録第３１５０８３１号公報がある。しかし、前記と同じく容器出し入れの際、支持具長さ相当分上部の空間が必要になる欠点がある。
【先行技術文献】
【特許文献】
【０００７】
【特許文献１】特開平９−６１０５１号公報
【特許文献２】特開平７−２０８８５５号公報
【特許文献３】特開平１０−６６６４１号公報
【特許文献４】実用新案登録第３１５０８３１号公報
【発明の概要】
【発明が解決しようとする課題】
【０００８】
解決しようとする問題点は、マヨネーズ容器等を倒立支持する支持具において容器等を倒立支持した状態で不安定な状態があること。容器出し入れの際、容器より長めに上部空間が必要になることであった。
【課題を解決するための手段】
【０００９】
本発明は、倒立した容器の胴部分を二つの支持体で安定支持することを特徴とする。
【発明の効果】
【００１０】
本発明の倒立式支持具は倒立した容器の胴部分の容器底部側を二つの支持体において挟み支持するために安定して支持する。かつ、水平方向から容器の出し入れとなり冷蔵庫扉等の狭い空間での使用に最適である。
【図面の簡単な説明】
【００１１】
【図１】倒立した容器を支持した卓上型支持具の斜視図。（実施例１）
【図２】図1の（イ）は側面図、（ロ）は上面図。
【図３】壁面設置用の支持具の斜視図。（実施例２）
【図４】吊り下げ設置用支持具の斜視図。（実施例３）
【発明を実施するための形態】
【００１２】
倒立支持する支持具において容器胴部を二つの支持体において支持することを特徴とし容器支持時の安定性と省スペース化を実現した。
【００１３】
マヨネーズ容器等の内容物が少なくなると容器形状が変形する。また、容器を変形（押し潰す等）させることで中身を取り出すが、容器内容物取り出し口はその目的のために変形せず、容器底部もまた強度、かつ成形上変形し難いことは周知である。
【００１４】
これにより二つの支持体により支持体間の幅が容器底部の最小幅（ほとんど楕円形状による）よりも狭くして内容物が少なくなった容器の胴部分を挟み支持する支持具とした。よって倒立した容器の胴部の容器底部側を挟み支持するために安定して支持できる。また、水平方向からの容器の出し入れを行うことで狭い空間での使用が最適である。
【実施例１】
【００１５】
図１は、倒立式支持具の１実施例の斜視図である。1は容器内容物取出口。２は容器胴部。３は容器底部。４は支持体。５は支持具の脚。６は支持具の底部。
【００１６】
二つの支持体４が容器胴部２の容器底部側を挟む形で支持する。二つの支持体の間隙が容器底部３の最小幅より狭いため容器は保持される。
【００１７】
図２は、図１の側面図が（イ）、上面図が（ロ）である。（イ）は二つの支持体の容器出し入れ側からの側面となる。（ロ）上面図は手前に容器底部３があり容器胴部２が容器底部の最小幅より内側に変形しているため支持体４の一部が内側に隠れている。容器の出し入れは容器の胴部を二つの支持体間に挟み込むように行う。また、図には記していないが支持体の水平方向を可動にし、容器支持前は二つの支持体間隔が容器支持時より小さく、容器胴部を押し込むことで容器底部最小幅近くまで支持体間隔が開いて容器を支持することもできる。また容器支持時に二つの支持体の水平方向を最下点とし、支持体の容器出し入れ側がその反対側より上方へ可動することで容器の出し入れを容易とすることもできる。
【実施例２】
【００１８】
図３は、壁面設置の倒立式支持具１実施例の斜視図である。7は支持体。８は壁面取付け用吸盤。冷蔵庫扉等の壁面に最適である。また構造が簡単である。この例では吸盤８と支持体7が上下方向に可動構造のため容器支持時の支持体停止位置から上側に可動する。これにより容器の支持具への出し入れが容易となる。
【実施例３】
【００１９】
図４は、吊り下げ設置の倒立式支持具１実施例の斜視図である。９は支持体。１０は吊り下げ取付け用板。冷蔵庫ドアポケット等に取り付けることができる。上記の例と同じく支持体を上下方向に可動構造として容器の支持具への出し入れが容易としてもよい。
【００２０】
本発明の支持具の実施例では線材の構成が主としているが、この限りではなく板材でもよく、また材質は特定しない。また支持体の形状が丸棒であるが容器胴部を二つの支持体で支持するものであればこの限りではない。同様に実施例２や実施例３でも取り付ける方法は吸盤に限らず、両面テープやマグネット等を用いてもよい。また本発明はマヨネーズ容器を例としているが、同様のケチャップ等の容器についても利用することができることは言うまでもない。
【符号の説明】
【００２１】
１    容器内容物取り出し口
２    容器胴部
３    容器底部
４    支持体
５    支持具の脚
６    支持具の底部
７    支持体
８    壁面取付け用吸盤
９    支持体
１０    吊り下げ用設置板
【図１】
2011105358.tif 000003
【図２】
2011105358.tif 000004
【図３】
2011105358.tif 000005
【図４】
2011105358.tif 000006